(57)【特許請求の範囲】
【請求項１】
少なくとも軸体１とキャップ２を連結させてなる筆記具本体５を、指装着手段４を設けた連結部材３に連結させ、人差指の親指側に装着して、保持態勢と筆記態勢とを相互に切替しながら使用する指装着用筆記具であって、筆記態勢では、筆記具を直線状に伸長させ、人差指の前下方まで回転させて持着し、筆記具を、保持態勢の方向に回動可能にすることで、筆記具の角度を自在に調整可能にし、保持態勢では、筆記具の必要最短寸を、軸体１とキャップ２に少なくとも二分にさせ、折畳、または収納の手段で短縮させることで、筆記具を少なくとも人差指の第二関節１５近くまで退縮させて、人差指と平行に持着し、携帯態勢では、筆記具を指から外して、指装着手段４を連結部材３に挟持、または内蔵、または巻着、または連結部材３と折畳、または脱離させることで、筆記具の体積を保持態勢より小さく変形可能にした指装着用筆記具。
【請求項２】
軸体１とキャップ２を軸接させ、折畳可能にした上記請求項１の指装着用筆記具。
【請求項３】
軸体１とキャップ２を、何れかを何れかに収納、もしくは重合させることで、保持態勢において、筆記具を短縮可能にした上記請求項１の指装着用筆記具。
【請求項４】
連結部材３を二重壁の構造にした上記請求項１の指装着用筆記具。
【請求項５】
護芯管２５を口金２０の前に突出させ、もしくは筆芯６を口金２０の中に退縮させる手段で、保持態勢において筆先１３を隠蔽可能にした上記請求項１の指装着用筆記具。
【請求項６】
軸体１、もしくはキャップ２、もしくは螺旋体３９の何れかの少なくとも一つの周面、または内周壁に螺旋状の凹凸部を設け、筆記態勢と保持態勢とを相互に切替する際に、前記螺旋状の凹凸部を設けた何れかの少なくとも一つを回転させることで、軸体１が螺旋状の凹凸部に誘導され進退することによって、筆記具の伸縮を行う上記請求項１の指装着用筆記具。
【請求項７】
筆記具本体５に複数の筆芯、またはライト、または時計の何れかの少なくとも一つを付設した上記請求項１の指装着用筆記具。
【請求項８】
連結部材３に牽引アーム３０を設け、牽引アーム３０を軸体１に連結させた請求項１の指装着用筆記具。
【請求項９】
筆記態勢と保持態勢とを相互に切替する際、筆記具を伸縮、または進退、または回転させる操作を、親指で行う上記請求項１の指装着用筆記具。
【請求項１０】
筆記具挟持機能を有するペン挿し３２、もしくは挟持部材４０を、指装着手段４を設けた連結部材３に牽引アームによって連結させ、既存の筆記具を挟持させ、人差指の親指側に持着して、保持態勢と筆記態勢とを相互に切替しながら使用する筆記具指保持具であって、筆記態勢では、筆記具を人差指の前下方まで伸出、回転させて持着し、保持態勢の方向に回動可能にすることで、筆記具の角度を自在に調整可能にし、保持態勢では、筆記具を少なくとも人差指の第二関節１５近くまで退縮させ、人差指と平行に持着し、携帯態勢では、筆記具を指から外して、指装着手段４を連結部材３に挟持、または内蔵、または巻着、または連結部材３と折畳、または脱離させることで、筆記具指保持具の体積を保持態勢より小さく変形可能にした筆記具指保持具。
【発明の詳細な説明】
【技術分野】
【０００１】
本発明は、筆記具を人差指に装着させ、筆記態勢と保持態勢を相互に切替可能にし、保持態勢では筆記具を指に装着したまま他の作業が可能な指装着用筆記具及び筆記具指保持具（日本商標、商願２０１４−１０１４２４号）に関するものである。当発明での筆記具とは、文字や絵、図形などを書く（描く）ために被写体に筆跡を残す筆記具だけでなく、筆先を対象物に向けて行われる電磁波、光線、電気及び静電気などの操作に使用するタッチペンやレーザーペンなどの用具も含む。  
【背景技術】
【０００２】
従来、筆記と他の作業を交替に行う際は、その度筆記具を持ったり置いたりする動作を繰り返すため、効率が悪く、面倒だった。こうした問題を解決するため、当発明者により筆記具を人差指に装着させて、筆記態勢と保持態勢を相互に切替えながら使用する筆記具指保持具及び指装着用筆記具が発明され発表された。
【先行技術文献】
【特許文献】
【０００３】
【特許文献１】特許第４５２８３５０号
【発明の概要】
【発明が解決しようとする課題】
【０００４】
上記先行技術特許第４５２８３５０号（以下先行技術と言う）は、筆記具指保持具及び指装着用筆記具において、次の五つの機能を実現したものだ。１、態勢切替に必要な角度変換および、指と筆記具を交差させるための傾斜度形成機能、２、筆先が筆記態勢では人差指の指先の前に置かれ、保持態勢では人差指の指先の後に置かれる筆記具進退、または伸縮機能、３、筆記具が所定の角度と位置で留まる定位機能、４、指を離しても筆記具の姿勢が崩れない姿勢安定機能、５、親指のみで態勢切替が可能な操作簡便機能（以下五つの機能と言う）。（先行技術０００５、請求項１、請求項２参照）
【０００５】
しかし、上記の先行技術を実施するに当たって、次の三つの欠点が現れた。その欠点とはまず指装着手段が携帯や保管に邪魔になる。先行技術は、指装着手段の形状をさまざまな形状に工夫をしたが、あくまで独立した構造として固定してあるため、携帯態勢においては、構造物がそのまま筆記具に付着してあるため運搬や携帯、保管には邪魔な存在となってしまう。特に指輪の形状で筆記具に付着している場合はなおさらである。なので、指装着手段は筆記具を指に持着させる機能だけでなく、指から外した後は運搬、携帯、保管に邪魔にならない形に変形できる機能が必要である。
【０００６】
次に、筆記具の伸縮、進退機能が不十分である。先行技術は保持態勢での筆記具の伸縮、進退機能を発明の重要機能の一つとして解決を図ったものの、保持態勢における筆記具の先端を、人差指の指先の後ろまで退縮させるところにとどまった。これは保持態勢における筆先の位置が筆記態勢と変らず、人差指の先に突出することはなくとも、筆記具を指に装着したまま快適に他の作業を行うまでには、不完全である。（先行技術０００５参照）
【０００７】
一般成人の場合、人差指の指先から第一関節までに約２〜３センチメートル程、第一関節から第二関節までに約３〜４センチメートル程の距離があるので、保持態勢において、指を曲げて物を掴むなど他の作業を行う場合、筆記具が第二関節の前に突出すればするほど、突出した部分が邪魔になりかねない。先行技術のように筆記具を人差指の指先の後ろに位置させた場合、仮に筆先が第一関節の近くに位置したとしても、指を曲げると、筆記具が３〜４センチメートルほど第二関節の前に突出することになる。そのために筆記具の伸縮、進退機能は、保持態勢においての筆記具を人差指の指先の後ろでは不十分で、更に後ろの第二関節と同じか、少なくとも第二関節の近くまで退縮させて持着できるようにすることが求められる。
【０００８】
そして、筆記具の定位機能と、姿勢安定機能が汎用性に欠ける。先行技術は筆記具が所定の位置まで至らなかったり、行き過ぎたりすることなく、所定の角度と位置で留まる定位機能と、手を放しても、筆記具の態勢が崩れない姿勢安定機能の実現手段として、連結部材に半球型凹部材と半球形突出部を設け、もしくは代わりに三角形凹部と三角形突出部を設けた。その結果、これらの嵌合作用で、筆記具を所定の角度と位置の一点に安定させることを実現した。（先行技術００１９、００２１、請求項１、請求項２参照）
【０００９】
しかし、筆記態勢における快適な筆記具の角度は、正しい筆記姿勢の範囲内においても、習性や好みによって一定の個人差があるので、決めた角度の一点に固定させてしまうと、その角度に慣れていない人には、堅苦しく感じかねない。より多くの人々に適応させるためには、手を離しても筆記具の姿勢が崩れない単なる固定作用ではなく、姿勢が維持できながらも、好みの角度と傾斜度に合わせることが出来る、安定性と汎用性を兼備した姿勢安定機能が望ましい。
【００１０】
本発明は、上記に現れた先行技術の問題を課題とし、先行技術の五つの機能の中で、機能が不十分だった筆記具伸縮、進退機能と、定位機能及び姿勢安定機能の三つの機能を改善、強化させ、指装着手段には運送や携帯、保管に便利な形状に変化できる新たな変形機能を設け、保持態勢においての筆記具を人差指の第二関節と同じ位置か、少なくとも第二関節の近くまで退縮させて持着することが可能で、筆記態勢の筆記具は、手を放しても姿勢が崩れない安定性を保つだけでなく、所定の幅内で好みの角度に合わせることができる適応性を兼備した指装着用筆記具及び筆記具指保持具を提供する。
【課題を解決するための手段】
【００１１】
以下、本発明の課題を解決する主な手段について、指装着用筆記具から説明する。先行技術が上記にて指摘された欠点を抱えたのは、当時の技術的レベルによる原因以外に、発明の発想と大きな因果関係がある。先行技術の発想の原点は、あくまで既存の筆記具を、いかにして指に装着して使用するかであった。そのため先に筆記具指保持具を考案し、後にその考案の延長線で、筆記具指保持具の筆記具挟持手段を、筆記具に置き換えて、指装着用筆記具としたため、上記指摘の未熟点が残された。（先行技術０００９、００１６参照）
【００１２】
それに対し、当発明は、既存の筆記具を如何に指に装着して使うかではなく、指に装着して使うためには、筆記具自体が如何なる形状と構造であるべきかに発想を転換し、従来の筆記具のイメージの枠にとらわれず、指装着専用筆記具としてあるべき形状、機能および構造を探求した。そして、その得られた結果を更に筆記具指保持具に応用することで課題を解決した。
【００１３】
具体的には、まず指装着手段は、リング状に丸めることができる弾性を持つ条状体や、平条状とリング状に相互変形可能に加工された条状体や、或いは接着性を持たせた帯状体等、さまざまな部材からなる指装着手段を、連結部材の付属する構造として、軸接、挟持、内臓などの手段で連結部材と一体化させ、使用の際は抽出、変形、巻着、挿着などの方法で指に装着させ使用し、指から外した後は連結部材に収められた状態に戻すことができる、新しい変形機能を持たせる。
【００１４】
次に、筆記態勢における筆記具の必要最短寸を求め、其の寸を概ね筆記具軸体とキャップに少なくとも二分にして、それらを軸接、または収納させ、筆記態勢では軸体とキャップを展開または伸長させ、筆記態勢の長さを確保し、保持態勢においては、それを折畳、または収納させることで両方が重合させ、最短形態を形成する。さらに筆記具の向きを変えたり、突出する部分を手首の方に向けるなどの手段で、保持態勢における筆記具を、少なくとも第二関節の近くまで退縮させて持着することを可能にする。
【００１５】
そして、連結部材を二重壁の構造にして、そこにキャップの壁面を挟持して軸接したり、連結部材の長さを指装着手段の幅と同じくし、後軸の位置を連結部材の中心に設けたり、または連結部材を一枚の板状体にして、そこにキャップの尾部を軸接するなどの新しい構造にし、キャップの後端が連結部材の上壁に当接して、筆記具の回転を係止させるか、或いはキャップと連結部材の何れかの尾部に突部を設け、その突部の係止作用で筆記具の回転角度を決めるなどの手段により、筆記具が一点に固定させるのではなく、所定の角度以内で自在に逆動ができるようにする。
【００１６】
筆記具指保持具においては、既存の筆記具は折畳みすることも、向きの変換も出来ないので、連結部材を一枚の板状体にし、先行技術の交差型伸縮アーム代わりに、一本の牽引アームを設け、牽引アームの操作で、保持態勢における筆記具の先を第二関節の近くまで退縮させることを可能にする。
【発明の効果】
【００１７】
当本発明は、上記の改良により次の効果を奏した。
１、携帯態勢において、指装着手段を変形させ、連結部材に収めることが出来たので、筆記具全体がスマートになって運送、携帯、保管に便利になった。
２、保持態勢における筆先の位置を、少なくとも人差指の第二関節の近くまで退縮させて持着することができたので、他の作業を行う利便性が大きく改善され、発明の完成度が高くなった。
３、筆記具の必要とする機能をより簡単な手段で実現し、連結部材の形状や、連結軸の設置位置を必要に合わせて設けたので、構造がより合理的で、製造コストが削減され、製品化しやすくなった。
４、筆記態勢における筆記具の角度を好みに合わせることができたので、抵触感が生じにくく、汎用性が広くなった。
【図面の簡単な説明】
【００１８】
【図１】実施例１の筆記態勢を表す側面図。
【図２】実施例１の筆記具分解図。
【図３】実施例１の携帯態勢の筆記具上面図。
【図４】実施例１の保持態勢の筆記具後面図。
【図５】実施例１の筆記態勢の筆記具側面図。
【図６】実施例１の態勢切替えの際筆記具の動態を表す図。
【図７】実施例１の筆記態勢の筆記具の傾斜度を表す図。
【図８】実施例１の保持態勢の伸手状態を表す図。
【図９】実施例１の保持態勢の握手状態を表す図。
【図１０】実施例２の携帯態勢の筆記具側面図。
【図１１】実施例２の携帯態勢の筆記具後面図。
【図１２】実施例２の筆記態勢の筆記具側面図。
【図１３】実施例３の携帯態勢の筆記具側面部分断面図。
【図１４】実施例３の保持態勢の筆記具後面図。
【図１５】実施例３の態勢切替えの際筆記具の動態を表す図。
【図１６】実施例３の筆記態勢の筆記具側面図。
【図１７】実施例４の携帯態勢の筆記具側面図。
【図１８】実施例４の用途切替えの際筆記具の動態を表す図。
【図１９】実施例５の指装着手段と連結部材の側面図。
【図２０】実施例５の保持態勢の筆記具側面部分断面図。
【図２１】実施例５の筆記態勢の筆記具側面部分断面図。
【図２２】実施例６の携帯態勢の筆記具側面図。
【図２３】実施例６の保持態勢の筆記具後面図。
【図２４】実施例６の筆記態勢の筆記具側面図。
【図２５】実施例７の携帯態勢の筆記具後面図。
【図２６】実施例７の筆記態勢の筆記具側面図。
【図２７】実施例７の保持態勢と筆記態勢の筆記具の動態を表す図
【図２８】実施例７の保持態勢の伸手状態を表す図。
【図２９】実施例８のペン挿し分解図。
【図３０】実施例８の保持態勢の伸手状態を表す図。
【図３１】実施例８の保持態勢と筆記態勢の筆記具の位置変化を表す図
【図３２】実施例９の保持態勢の筆記具側面図。
【図３３】実施例９の筆記態勢の筆記具側面図。
【図３４】実施例９の保持態勢の筆記具後面図。
【発明を実施するための形態】
【００１９】
次は、当発明の実施形態について説明する。保持態勢における筆記具をなるべく短くさせるために、まず筆記態勢における筆記具の必要最短寸を求めるが、筆記態勢における筆記具の必要最短寸は、標準とされる一般的な筆記姿勢において、親指と人差指と中指の三本の指で筆記具を握持した際、筆記具の後部は人差指の根関節１６辺りに寄せることができ、筆記具の先は人差指の指先より２〜３センチメートル位突出できれば、筆記態勢が形成できるので、その長さを筆記態勢における筆記具の必要最短寸とすると、およそ１０〜１２センチメートルになる。
【００２０】
しかし、指装着用筆記具においては、筆記具の後部を連結部材に軸接するので、筆記態勢における筆記具の角度形成に必要な長ささえ確保できれば、筆記具を根関節１６辺りに寄せられる長さまで伸長させる必要もないので、素手に筆記具を持った際の筆記態勢の必要最短寸より更に短くすることができる。
【００２１】
そして、一般成人の人差指の第二関節１５から根関節１６までの長さは、５〜６センチメートル程であるので、単純に人差指の第二関節１５から根関節１６までの長さを倍にすると、上記筆記態勢を形成するための筆記具の必要最短寸に足し、筆記態勢における筆記具の必要最短寸を二分にすると、人差指の第二関節１５から根関節１６までの距離と同じなので、当発明はこの比例関係を利用して、軸体とキャップの標準タイプの寸を５〜６センチメートルにし、両方を展開させる際は、なるべく重なる部分を短くすることで、筆記態勢における筆記具の長さを確保し、折畳みや収納する際は、なるべく完全重合させることで保持態勢における筆記具の短さを実現する。
【００２２】
そして、筆記態勢における筆記具の角度は、同じ人であっても筆記具の長短、太細によって角度が変わる現象があり、また個々人の筆記姿勢の習性に伴う角度差も生じるが、その範囲は一般的に紙面から４５度から６５度の幅内であることが分かる。よって、当発明は筆記態勢における筆記具の角度は、上記の幅を参考にタイプによって具体的角度を決め、いずれの角度であっても逆動可能にすることで汎用性を広める。        
【００２３】
筆記態勢における傾斜度は、２０度程で筆記具が十分人差指の側面から指先の下に交差できるが、実際筆記具を人差指に装着させた場合、指装着手段を少し回すだけで、指に装着された筆記具の傾斜度が大きく変わることがわかるので、筆記態勢におかれる傾斜度は、専門の機関を設けず、各連結部位の緊合度と、指装着手段を回して調整することで実現する。
【００２４】
次は指装着用筆記具の各部材について説明する。軸体１は、被写体に直接作用する重要部分として、その性質や種類などによって、中に鉛芯やインクチューブ、チップなどからなる筆芯を設けたり、その他の部位に電子表示板、ライト、消しゴムなどの様々な機能を設けることが可能で、外形もそれらの構造にあわせて多様な形状に設計することが出来る。
【００２５】
キャップ２は、筆記態勢においては、主に連結部材３と軸体１を繋いで、筆記具の長さや角度、傾斜度および安定機能等を確保し、保持態勢においては軸体１と折畳んだり、収納したりすることで両方を重合させ、筆記具の短縮機能と、姿勢安定機能などの役割を果たす。形状は軸体１の形状に合わせて多様に変化させることができる。
【００２６】
連結部材３は指装着手段４を備え、その指装着手段４をキャップ２へ繋げることで、筆記態勢や保持態勢の形成および切替、用途の切替、姿勢安定などの機能を果たし、指装着手段４は、筆記具を指に装着する際の操作の利便性、装着後の指の快適性、筆記態勢と保持態勢における筆記具の安定性を保つとともに、筆記具を指から外した後、コンパクトに連結部材の先端部に収める変形機能を持たせる。シリーズ製品を製造する場合は、指装着手段を着脱可能にさせ、全シリーズ品を共用可能にすることもできる。
【００２７】
次に筆記具指保持具について簡要に説明する。筆記具指保持具は、既存の筆記具を使用するもので、指装着手段と連結部材の基本的構造は、上記指装着用筆記具同様にし、軸体１とキャップ２の代わりに、既存の筆記具を挟持することができる挟持手段を設け、様々な材質や模様の既存の筆記具に対応可能にする。
【００２８】
以下、当発明のいくつかの実施例をボールペンを主な例として、図面を参照しながら説明する。尚、当発明の技術思想は、筆記具の機能や素材によっても、構造や形状が変わるだけでなく、其の手段または構造の組合せを変えることによっても、様々なタイプに応用できるので、下記実施例に限らない。
【実施例１】
【００２９】
当実施例は、連結部材３に指装着手段４を挟持させて軸接し、軸体１をキャップ２に軸接させ、折畳み可能にした指装着用筆記具である。図１から図９は実施例１に関する図面である。
【００３０】
指装着手段４は、薄くて弾力性を持つ金属などの素材からなる条状体を、その一端の両辺縁に止め歯１０を設け、もう一端には横溝１１を設け、横溝１１を軸孔として、条状体を連結部材３の先端部の両壁間に挟持させ、指装着手段４と連結部材３を繋ぐ装着具軸１２で軸接し、連結部材３は一枚の平板を折畳して前、後、下の三面を開放させた二重壁にし、その二重壁の後部にキャップ２の人差指側の内側壁を挟持させ、連結部材３とキャップ２を連結する連結軸８（以下後軸８と言う）で軸接する（図２、図３参照）
【００３１】
軸体１は、保持態勢筆記具の標準寸の楕円柱形を呈し、その楕円柱形殻体の前に口金２０を設け、殻体の中には、インク収容管の前にチップを設けた筆芯６を内蔵し、チップにスプリングを挿設して、筆芯６を常に後方に付勢させる。そして、軸体１の左右両壁に軸孔を設け、軸体１とキャップ２を軸接する連結軸７（以下前軸７と言う）で軸接するが、軸体１の尾部には、軸体１の人差指側の殻体の壁を軸孔から後方に１センチメートルほど延伸させてなる尾壁２４を設ける。（図２、図３参照）
【００３２】
キャップ２は上面と前後を開放し、両側と底の三面を壁面にするが、三面の内、親指側の内側壁は、前部の壁を一部切欠させることで、上記軸体１の尾壁２４が支障なく回転できるようにし、後部は連結部材３の後部の両壁間に挟持させて軸接するが、キャップ２が回転する際に、其の尾端が連結部材３の上壁に当接することによって、キャップ２が筆記態勢の所要角度で回転が止まるように設ける。そして、連結部材３の親指側の壁面の前下方には、親指側に突出してなる突起９を設ける。
【００３３】
さらに、キャップ２の底面前部の前軸７用軸孔周囲に、軸突部１８を設けるが、軸突部１８は軸体１の殻体の内腔幅に合わせた、軸体１が支障なく回転出来る大きさの楕円形の外縁を呈するが、その楕円形の前方の外延は前軸７の軸心から遠く、後方の外縁は前軸７の軸心に近くなるように、軸心と偏移させて設ける。そして、軸体１の後部の殻体のなかに、軸突部１８を内蔵した状態で、キャップ２の親指側の片方の壁面に前軸７で軸接させ、軸体１が前軸７を支点に上面から回転させることで、キャップ２と折畳み可能にする。（図３、図４参照）
【００３４】
当実施例は上記により形成し、これを使用する際はまず、携帯態勢の筆記具本体５の後端に露出した指装着手段４の条状体を、筆記具本体５と垂直になるまで回転させてから下に引くと、筆記具の前に突出してあった部分が、下に降ろされるので、そしたらさらに条状体を１８０度回転して上向きにさせる。それから人差指の第二関節１５と根関節１６の間に巻着させ、下方から連結部材３の二重壁間に条状体を挿入すると、止め歯１０が連結部材３の両辺の何れかに掛止され指に固定される。すると筆記具は軸体１がキャップ２に折畳まれた状態で、筆先１３は根関節１６辺りに、尾壁２４は第二関節１５の前に僅かに突出した位置で保持態勢となる。（図３、図８、図９参照）
【００３５】
これを筆記態勢に切替える際は、親指を人差指の第二関節１５辺りに上げ、キャップ２の前頭部に当てて押し降ろすと、キャップ２が後軸８を支点に回転して降下する。するとキャップ２に軸接された軸体１も、キャップ２と一緒に降下しようとするが、連結部材３に設けた突起９に阻まれ、軸体１は梃子の原理により突起９に持ち上げられながら、前軸７を支点に回転され、キャップ２が筆記態勢の角度まで下がった際は、軸体１とキャップ２も直線状に展開され、筆記態勢の標準長さに伸長される。（図５参照）
【００３６】
筆記態勢においては、筆芯６の尾栓１７が軸突部１８の前軸７の軸心から遠い外縁に当接するため、同じ前軸７を支点として回転してきた殻体より前に突出することで、筆先１３が口金２０の前に突出され、筆記可能な状態となる。その際に、後軸８によって連結部材３の二重壁面に挟持されたキャップ２の後端が、連結部材３の上壁に当たることによって、キャップ２は所定の筆記態勢の標準角度の紙面から凡そ７５度になるところで回転が止まり、手を離しても姿勢が崩れないので、先行技術のような半球体や三角形の部材を設けなくても、簡単かつ確実に姿勢が安定するようになる。また、所定の角度以内なら自在に戻れることが出来るので、好みの角度に合わせることができる。（図１、図６、図７参照）
【００３７】
さらに、保持態勢における条状体とキャップ２の壁面を、共に挟持していた連結部材３の両壁は、筆記態勢においてはキャップ２の壁面のみを挟持することになるので、これによりキャップ２に遊びが生じ、十分な傾斜度調整が出来るようになる。また、筆記態勢において筆芯６の尾栓１７が、軸突部１８の前軸７の軸心から遠い外縁に当接するためスプリン弾力により筆記具の直線状態が安定する。もし、直線状態が不安定の場合は、軸体１とキャップ２の接触する部分に磁石を設け、双方を吸着させるなど、簡単な固定手段を設ければよい。
【００３８】
筆記態勢から保持態勢に切替える際は、筆記具を握っている親指、人差指および中指を筆記具から離して、親指のみでキャップ２の真ん中辺りを押し上げると、直線状態の筆記具本体５は、後軸８を支点に回転しながら上昇し、軸体１の尾壁２４が突出部９に当接すると、梃子の原理により軸体１が突出部９に押圧され、前軸７を支点に回転されて、筆先１３を手首の方に向けた状態で、キャップ２と折畳され保持態勢となる。（図５、図８参照）
【００３９】
保持態勢においては、筆芯６の尾栓１７が、前軸７の軸心から近い軸突部１８の外縁に当たるので、筆芯１３が軸体１の殻体より短くなって、口金２０の中に隠れる。そして、突起９はキャップ２の底面と上面から回転してきた軸体１の間に挟持され、保持態勢として安定するので、筆記具を指に装着したまま他の作業を行っても、筆記具による他の作業への干渉が避けられる。（図９参照）
【００４０】
指から筆記具を外す際は、連結部材３に差込まれた指装着手段４の条状体を横にずらすと、止め歯１０の掛止が解除され、条状体は自身の弾力によって平条状に戻る。そしたらそれを指に装着する際と逆の方向に回転させ、再び連結部材３の二重壁の間に挿入すると、条状体はキャップ２の片方の壁面と重なって、連結部材３の二重壁の間に挟持され、コンパクトな携帯態勢になる。（図３参照）
【００４１】
当実施例においては、軸体１を梃子の原理で回転させる代わりに、歯車やベルトなどで、前軸７を回転させることも可能だが、当実施例より構造が複雑な割に、梃子原理の利用に比べ巧妙さが欠ける。そして、連結部材３の二重壁が平面であるので、先行技術のようにキャップと連結部材の筒状部材同士を連結させるために、連結軸を必ずしも中心線の下に設ける必要もなく、連結軸を必要な場所に自在に設けられるなどの利点がある。
【００４２】
そして、当実施例では保持態勢における筆先１３を隠蔽された状態にさせるために、筆芯６を常に後方に付勢させる手段にスプリングを使用したが、他にも軸突部１８と、尾栓１７の何れかに、或いは其の両方に磁石を設け、磁石の吸引力により両方を吸引させる、又は両方が常に触着状態を維持しながら回転できるよう連結させる方法などがある。しかし、これらの方法は、何れも尾栓１７と軸突部１８の外縁の間に摩擦が生じ、その摩擦により軸突部１８と尾栓１７の間に阻力が発生するデメリットがあるので、軸体１に軸突部１８を設けず、保持態勢での筆先１３を手首の方に向かせて、露出したままにすることもできる。このように、これらのメリットとデメリットの取捨によって、様々なタイプの折畳式筆記具を実施することができる。
【実施例２】
【００４３】
当実施例は、リング状と平面状に交互に変形可能な金属条状体を、連結部材３に回転可能に軸接し、軸体１をキャップ２の側面から開閉させることで、折畳みを可能にした指装着用筆記具である。図１０、図１１、図１２は実施例２に関する図である。
【００４４】
指装着手段４は、中間部分が両辺縁より僅かに凸形を形成し、中間部を軽く押すだけで、瞬時にリング状に丸まるよう加工された金属条状体を、連結部材３の前部に軸接させることで連結部材３と一体化し、連結部材３はキャップ２と概ね同じ大きさの平面板状体を呈し、板状体の後部に、キャップ２の人差指側の壁面を後軸８で軸接する。そして、連結部材３の前部下方の壁に、親指側に突出させてなる挟持部材２３を設け、さらに挟持部材２３は中心部に方孔を設ける。
【００４５】
軸体１は、保持態勢の筆記具の標準寸の長方柱形の殻体の中に、異なる三色の筆芯６を並設し、親指で筆芯を進退させる操作により色の選択を行い、軸体１の後部には螺旋状尾栓２１を設け、螺旋状尾栓２１を上記挟持部材２３に設けた方孔のなかを上下移動可能に挟持させる。そして、軸体１の殻体の中に小型電子時計を設け、表示版を保持態勢軸体１の親指側の壁面に嵌設する。（図１０、図１１、図１２参照）
【００４６】
キャップ２は、親指側を開放し、人差指側の側面と上下の三面を壁面にし、人差指側の後部の壁を、連結部材３に軸接するが、後部の側壁には、回転角度を制限する突部２６を突設する。そして、側壁の前端の一部を切除し、上下壁のみを尾端まで延伸させ、そこに前軸７で軸体１の螺旋状尾栓２１を軸接して、軸体１を側面から開閉可能にする。前軸７の下方には摘み２２を設けるが、摘み２２はスプリングの弾力により、常に上方に付勢させることで、軸体１とキャップ２をロックさせ、安定機能を果たす。（図１０、図１１、図１２参照）
【００４７】
当実施例は上記により形成し、これを実施する際は、連結部材３と平行に軸着してある指装着手段４を、連結部材３と垂直になるまで回転させ、人差指の第二関節１５と根関節１６の間に当てて軽く押すと、条状体が一瞬で丸まって人差指に巻着される。すると軸体１は筆先１３を手首の方に向けて、キャップ２と重合され、人差指と平行した状態で保持態勢となる。
【００４８】
筆記態勢に切替える際は、親指を摘み２２に当てて下に押すと、摘み２２が降ろされ軸体１のロック状態が解除されると同時に、キャップ２は後軸８を支点に回転しながら降ろされる。すると、連結部材３に設けた挟持部材２３の係止作用で、方孔に挟持された螺旋状尾栓２１が回転され、それにより軸体１が前軸７を支点に、キャップ２の側面から開かれ、キャップ２と直線状の筆記態勢となる。すると挟持部材２３は螺旋状尾栓２１の下面から上面に移動し、筆記具本体５は突部２６が連結部材３の尾部の壁に阻まれ、所定の筆記態勢の角度で回転が止まる。すると所定の角度以内の角度には自在に戻ることができるので、好みの角度に合わせた楽な姿勢が可能となる。（図１２参照）
【００４９】
すると、軸体１の尾端に、三本の筆芯６の尾栓が露出するので、親指でその中から一本を選択して前に押すと、押された筆先１３が前進して、口金２０の前に突出する。すると筆記具本体５は、キャップ２と連結部材３が後軸８に軸接されるだけでなく、軸体１の螺旋状尾栓２１も、挟持部材２３に係止されるので、筆記態勢の必要な長さ、角度、傾斜度ともに満たされた状態で、摘み２２のスプリング作用で、再びロックされ安定される。（図１２参照）
【００５０】
保持態勢に切替える際は、親指で摘み２２を一旦降ろして、ロックを解除してから押し上げると、保持態勢から筆記態勢に切替わる際と逆の動きで、キャップ２が押し上げられながら、軸体１がキャップ２の側面から折畳され保持態勢となる。その際、筆記態勢において前方に突出していった筆芯６の尾栓は、キャップ２の側面壁の切口辺縁に当接することで後退され、三本の筆芯６の筆先１３すべてが、軸体１の中に隠蔽された状態で保持態勢となる。（図１０参照）
【００５１】
指から筆記具を外す際は、丸まった条状体の一端を外側に向けて押すと、条状体が自体の弾力によって平板状に戻るので、それを連結部材３と平行になるよう回転させて重合させる。当実施例は、軸体１の厚さを薄く、幅を広く、また表面を平にしやすいので、そこに複数の筆芯を設けたり、または時計、ライト、電子表示板、端末機能などを設けるなど、様々な用途に合わせて機能を付加しやすい特徴がある。
【実施例３】
【００５２】
当実施例は、連結部材３とキャップ２を、連結補助部材１９を介して連結し、後軸８を連結部材３の中心部に設け、連結補助部材１９を介して、キャップ２を後軸８の前後に移動させることで、態勢切替を行う指装着用筆記具である。図    １３から図１６は実施例３に関する図面である。
【００５３】
指装着手段４は、上記実施例２同様に、リング状と平面状に交互に変形可能な条状体を、連結部材３の人差指側に軸接し、連結部材３は上記実施例１同様の二重壁にするが、長さを指装着手段４の条状体の幅と同じくし、その中心に後軸８を設け、そこに連結補助部材１９の一端を挟持させ軸接し、連結補助部材１９のもう一端は、キャップ２の後部に軸接する。
【００５４】
軸体１は、保持態勢筆記具の標準寸の楕円柱形を呈し、その楕円柱形殻体の中に筆芯６を設け、筆芯６の尾栓１７を軸体１の尾部に固設するが、尾栓１７は上下二箇所に孔１４を設ける。一方キャップ２は軸体１より一回り細く、より長い楕円柱形からなり、その楕円柱形の中間部分を、上下に設けた二本の軸で繋げ、その二本の軸を尾栓１７に設けた孔１４から軸体１の中に挿入して、軸体１とキャップ２が、前後円滑にスライド可能に挿設する。そしてキャップ２の二本の軸の前端には、護芯管２５を設け、護芯管２５が、口金２０と筆芯６の間を前後スライド可能にする。またキャップ２の後部を、尾栓を介して上記連結補助部材１９の一端に軸接させ、キャップ２が所要の筆記態勢の角度で回転が止まるよう角度を合わせて固設する。（図１３、図１４、図１６参照）
【００５５】
当実施例は上記により形成し、これを使用する際は、連結部材３に設けた指装着手段４を、上向きになるよう回転させ、上記実施例２同様に、人差指に巻着させると保持態勢となる。保持態勢においては、キャップ２が軸体１の中に挿入された状態で、筆先１３は口金２０の前に吐出した護芯管２５の中に隠蔽される。キャップ２は連結補助部材１９と折畳され、尾端は人差指の第二関節１５辺りに、先端は根関節１６辺りにそれぞれ位置する。
【００５６】
これを筆記態勢に切替える際は、親指でキャップ２の後部を降ろすと、キャップ２は連結補助部材１９を介して、後軸８を支点に回転され、キャップ２の後部が後軸８の前から、後軸８の後ろに移動され、保持態勢において後軸８の上方から後ろ向きになっていた軸体１が、後軸８の下方から前向きに変わり、キャップ２と連結補助部材１９が、所定の筆記態勢の角度まで開かれると同時に、軸体１は回転する際の自重と遠心力によって、キャップ２の外側から前に吐出され、筆記態勢の長さに伸長される。そして、連結部材３の二重壁に挟持されていた連結補助部材１９は、二重壁間の間隙により自然に傾斜度が形成され、筆記具本体５は角度、傾斜度および長さが共に整えられ、かつ逆動ができるので、快適な筆記態勢となる。（図１５、図１６参照）
【００５７】
これを保持態勢に切替える際は、親指を根関節１６近くの、キャップ２の尾栓に当てて降ろすと、保持態勢から筆記態勢に切替えるときと逆の動きで、キャップ２の尾端は、後軸８の後方から後軸８の前方に移動される。キャップ２の尾栓が後軸８の下方を通る際、筆記具本体５が垂直状態になった時に、連結補助部材１９は連結部材３の両側壁の摩擦により、回転が減速されるので、其の一瞬でキャップ２の前に伸出されていた軸体１は、自重により滑下して、キャップ２が軸体１の中に挿入される。すると、護芯管２５が口金２０の前に突出して、筆先１３は護芯管２５の中に隠蔽される。そしてキャップ２が後軸８の前まで回転すると、キャップ２は軸体１に挿入され、筆記具本体５が短縮された状態で保持態勢となる。（図１４、図１５参照）
【００５８】
筆記具を指から外す時は、指装着手段４の条状体の両端を軽く押して平条状に戻して、キャップ２と同じ方向に回転させると、コンパックトな携帯態勢に切替わる。当実施例は、筆記態勢と保持態勢の切替えおよび筆記具の進退伸縮、向きの転換などの操作を、親指でキャップ２の尾栓を、後軸８の前と後ろから下に降ろす操作だけで可能にしたので、簡単なペン回しのような、繰り返して行いたくなる面白さの特徴がある。（図１３参照）
【実施例４】
【００５９】
当実施例は、上記実施例３を応用した指装着用筆記具であるが、実施例３と異なるところは、軸体１は、ボールペン２８とタッチペン２９との異なる用途の二つの筒状体からなり、それをそれぞれの筆先１３が、反対方向に向けて露出するようキャップ２の筒状体の両端に挿設させ、態勢切替だけでなく、ボールペン２８とタッチペン２９の用途切替をも可能にした指装着用筆記具である。図１７、図１８は実施例４に関する図面である。
【００６０】
長さは概ね同じで、太さの異なる三本の筒状体を、内層はタッチペン２９に、中間層はボールペン２８に、表層はキャップ２に、三層が交互スライド可能に挿設して、ボールペン２８とタッチペン２９の筆先を、キャップ２の筒状体の両端からそれぞれ露出するよう設ける。そしてキャップ２の筒状体の外周に、滑動環２７を前後滑動可能に環設し、その滑動環２７を、連結補助部材１９を介して、連結部材３に後軸８で軸接させる。これにより筆記具本体５は、連結補助部材１９を介して、後軸８を支点に、下から半円形軌道で後軸８の前後に回転可能になる。他は実施例３同様にする。（図１７参照）
【００６１】
当実施例は上記により形成し、これを実施すると、実施例３同様に、ボールペン２８として使用することが出来る以外に、タッチペン２９として使用することもできる。タッチペン２９に切替える際は、ボールペン２８の筆記態勢を保持態勢に切替える途中、筆記具本体５が上下垂直になった時に、親指をタッチペン２９の筆先から滑動環２７の上にずらすと、キャップ２の上に伸出してあった中間層のボールペン２８が、重力により滑下して、キャップ２の中に挿入されると同時に、キャップ２の筒状体自体も滑動環２７の下に滑下し、さらにキャップ２の下からは、内層のタッチペン２９がキャップ２の中から滑下して、タッチペン２９の筆記態勢の長さに伸長される。
【００６２】
すると筆記具本体５は、人差指の第二関節１５の近くから、指先までとほぼ平行した状態になるが、タッチペン２９の場合は、殻体が一般筆記具より細い上に書写ではなく、画面に対しタップやスライドの操作が多いので、一般筆記態勢のように筆先１３が人差指の下になるよう傾斜させて、中指と人差指と親指の三本の指で握って使うより、むしろペンの角度や傾斜度を変えず、そのままの状態で親指と人差指で両側から軽く挟んで使かったほうが使い易いので、そのままタッチペンとして使えばよい。（図１８参照）
【００６３】
そして、タッチペン２９をボールペン２８に切替える際は、親指をキャップ２の筒状体の後部に当てて、筒状体をおよそ１８０度回転させると、筆記具本体５は、後軸８の前方から後軸８の後方に移動され、ボールペン２８とタッチペン２９の位置が逆転される。するとタッチペン２９は自重により落下して、キャップ２の筒状体の中に挿入されると同時に、ボールペン２８はキャップ２の中から滑下して筆記具はボールペン２８に切り替わる。そして、親指を一旦キャップ２の筒状体から放すと、キャップ２の筒状体自体も滑動環２７の下に滑下し、それと同時にボールペン２８の筒状体の重さによって、筆記具本体５が斜めに傾けられ、ボールペン２８の筆記態勢の角度と長さになる。
【００６４】
当実施例の筆記態勢における傾斜度は、キャップ２と連結部材３を繋ぐ滑動環２７と、指装着しゅだんを回すことで形成することが出来るので、特に専門機関を設ける必要はない。そして筆記具を指から外す際の操作などは実施例３と同様である。
【実施例５】
【００６５】
当実施例は、軸体１とキャップ２を円筒状にし、軸体１の中に螺旋体３９を設け、軸体１を回転させることで、螺旋体３９の誘導作用によって、筆記具の伸縮を可能にした指装着用筆記具である。図１９から図２１は当実施例に関する図面である。
【００６６】
軸体１の円筒状の殻体と筆芯６との間の空間に螺旋体３９を設けるが、螺旋体３９は、後端をキャップ２の尾部に固設し、前方は筆芯６の尾栓１７に設けた通孔３１を通して軸体１の殻体の中に挿入させ、軸体１が２周から３周ほど回転すると、螺旋体３９の誘導で、軸体１がキャップ２の前方から後方まで進退可能にする。軸体１の大先３３は、保持態勢においてキャップ２の筒状体の周表面を被せるよう、キャップ２の外周より一回り大きい二重壁にし、その二重壁の周表面と連結部材３の前部との両方に、横溝１１を設ける。（図１９、図２０参照）
【００６７】
連結部材３は、キャップ２と概ね同じ長さの板状体にし、その板状体の先端の片面に、接着性を持たせた帯状体を指装着手段４として巻設し、板状体の後部に、キャップ２の尾部を後軸８で軸接する。そして、連結部材３の尾部は、板状体をキャップ２側に折曲させてなる突部２６を設ける。（図１９参照）
【００６８】
当実施例は上記により形成し、これを使用する際は、指装着手段４の帯状体を人差指に巻着してから、親指を軸体１の大先３３辺りに当てて降ろすと、大先３３の表面に設けた横溝１１と、連結部材３に設けた横溝１１との歯合作用で、軸体１が回転しながら降ろされる。軸体１が回転すると、螺旋体３９の案内によって、尾栓１７が前進し、それによって軸体１がキャップ２の中から伸出され、筆記態勢の角度に至ると、筆記具本体５は筆記態勢の標準寸に伸長される。
【００６９】
もし筆記具の長さが不足した場合は、大先３３を握った親指と人差指で、軸体１を捻じると、捻られた方向に従って、筆記具が回転しながら進退するので、これにより筆記具本体５の全体の長さを、好みに合わせて自在に調整することができる。また、連結部材３に設けた突部２６の係止作用により、キャップ２は所定の角度で回転が止まるので、手を離しても姿勢が崩れない。筆記態勢における傾斜度は、後軸８の緊合度と弾性を調整することで、大先３３が連結部材３を離れると、人差指の下に傾けるようになる。（図２０、図２１参照）
【００７０】
筆記態勢から保持態勢に切替える際は、親指と人差指で大先３３を、筆記態勢に切替える際と反対方向に回してから、又は回しながら軸体１を押し上げると、軸体１がキャップ２に退入しながら押し上げられ、連結部材３に接触してからは、横溝１１の歯合作用によって回転を続け、連結部材３と平行になると、軸体１がキャップ２の中に退居され、短縮された状態で保持態勢となる。保持態勢においては横溝１１同士の歯合作用と、後軸８の係止作用などにより、安定性を保つことが出来る。
指から筆記具５を外す際は、指装着手段４の帯状体を指から外して、連結部材３に巻着させると、筆記具がコンパクトに纏まる。そして指から外した後でも、大先３３を回して、軸体１をキャップ２の中から伸出させて、一般筆記具同様に使用することもできる。
【００７１】
当実施例は、上記の構造以外にも、軸体１を回転させる代わりに、キャップ２を回転させたり、又は螺旋体３９を設ける代わりに、軸体１の殻体の周面とキャップ２の内周壁に螺旋状溝を設け、軸体１とキャップ２をそれぞれ反対方向に回転させたり、さらには、螺旋体３９をキャップ２に固定せず、更に後軸８の後方まで延設し、連結部材３も螺旋体３９と同じ長さにまで延設させ、両方に噛み合う歯溝を設け、キャップ２を上下動かす操作だけで、螺旋体３９を回転させ、軸体１を進退させるなど、幾つかの変わったタイプに応用することができる。（図２０参照）
【実施例６】
【００７２】
当実施例は、リング状に巻着可能な条状体を、二重壁の連結部材３に挟持させ軸接し、キャップ２を軸体１の殻体の中に尾端から挿入させ、連結部材３と軸体１を一本の牽引アーム３０で繋げ、アームの操作によって、態勢切替えを行う指装着用筆記具である。図２２、図２３、図２４は実施例６に関する図面である。
【００７３】
連結部材３は、実施例１と同様に、板状体を折畳してなる二重壁にし、連結部材３の尾部の親指側に、キャップ２の尾部を後軸８で軸接する。そして軸体１は、楕円柱形の筒状体の前方に、筆芯６を口金２０に固定し、軸体１の尾部は、筆芯６と殻体の間の中空部に、軸体１より一回り細いキャップ２を挿入させ、前後スライド可能に設ける。そして一本の牽引アーム３０を、後端は胴体１の尾栓に軸接し、中間部は連結部材３の親指側壁の前方の下端部に軸接し、前端は大先３３の下方まで延伸させて、親指が届く位置に突出させる。（図２２、図２３参照）
【００７４】
当実施例は上記により形成し、これを使用する際は、まず連結部材３の二重壁に挟持させてある指装着手段４を、連結部材３と垂直になるよう回転させて人差指に巻着させると、筆記具は軸体１がキャップ２の殻体の中に収容された状態で保持態勢となる。保持態勢においては、筆記具の前方は筆先１３が人差指の第二関節１５辺りで前向きになり、筆記具の後部はキャップ２の後端が根関節１６辺りに位置して、人差指に平行した状態となり、キャップ２の後部と連結部材３が連結し、軸体１の後部も牽引アーム３０を介して、連結部材３と連接され、二箇所の係止作用により安定性が保持される。（図２２参照）
【００７５】
保持態勢から筆記態勢へ切替える際は、親指を牽引アーム３０の前端に当てて降ろすと、軸体１が牽引アーム３０の後端によって持ち上げられ、牽引アーム３０の半円形回転軌道に沿って、前伸しながら前から下がり、軸体１が筆記態勢の角度まで至ると、牽引アーム３０のフレームが、連結部材３の突出した壁に当たることで回転が止まる。その際、キャップ２は連結部材３に軸接されてあるため、位置を保持したまま回転するので、角度だけが変わり、軸体１はキャップ２の前に伸長され、筆記態勢の標準寸と角度になる。
【００７６】
その際、牽引アーム３０の前端は、後方に回転されキャップ２の下面の親指側に置かれる。筆記態勢における筆記具の傾斜度は、特に専用の機関を設ける必要がなく、上記連結部材３に設けた二箇所の軸接点の傾斜度を調整することで形成される。そして、筆記態勢から保持態勢に切替える際には、親指により牽引アーム３０の後端を、筆記態勢に切替える際と逆の方向で操作を行うと、保持態勢に切り替わる。（図２４参照）
【００７７】
当実施例も、牽引アーム３０を設けず、軸体１の自重による滑動力を利用して、筆記具の伸縮進退を行うことが可能であり、キャップ２の先端に護芯管２５を設け、保持態勢における筆先１３を、護芯管２５のなかに隠蔽させることも出来る。さらにはキャップ２を表層にして延長させることで、保持態勢における軸体１を、完全にキャップ２に内蔵させることもできる。
【実施例７】
【００７８】
当実施例は、指装着手段４を連結部材３に内蔵し、筆記態勢における筆記具の標準寸を、概ね軸体１aと軸体１ｂとキャップ２に三分にさせ、軸体１ｂを軸体１aの中にスライド可能に挿設させることで、筆記態勢においては、軸体１aと軸体１ｂとキャップ２を伸展させて、筆記具の長さを形成し、保持態勢においては、軸体１ｂを軸体１aに挿入させた状態で、キャップ２に収容させることで、筆記具本体５を更にコンパクトにした指装着用筆記具である。図２５から図２８は実施例７に関する図面である。    
【００７９】
連結部材３は、上記のように三分された長さの板状体を折畳させ二重壁にし、その二重壁の下面を開放し、中にキャップ２の内側壁を挟持させ、キャップ２が筆記態勢の所要の角度まで回転できるよう後軸８で軸接させる。そして、二重壁の上方には、人差指の方向に突出してなる筒状の腔室４１を設け、腔室４１の中に、支持軸を縦方向に架設し、支持軸の外周に細長いスプリングを挿設させ、さらにスプリングの外周に、帯状体４３を指装着手段４として巻設する。そして腔室４１の前方部分の人差指側に開口３４を設け、その開口３４に帯状体４３の先端部を掛止させる。さらに、二重壁の人差指側壁の下には、帯状体４３を掛止するためのフック４４を設け、二重壁の親指側の壁の下には、上記実施例１と同様の突起９を設ける。（図２５、図２６参照）
【００８０】
キャップ２は、上記実施例1と同様に上面を開放し、両側と底の三面に壁面を設け、その三面の内、人差指側の内側壁の前部の一部を切欠させ、上記軸体１ｂの尾壁２４が支障なく回転できるようにし、後部は連結部材３の両壁間に挟持させ、後軸８で軸接する。他は実施例１と同様にする。（図２５参照）
【００８１】
当実施例は上記により形成し、これを使用する際は、まず帯状体４３の端部を掴んで引っ張ると、腔室４１の中のスプリングの外周に巻着してあった帯状体４３が、腔室４１の中から抽出されるので、それを人差指の第二関節１５から根関節１６の間に巻着させ、フック４４に掛止させると保持態勢となる。
【００８２】
保持態勢から筆記態勢に切替える際は、親指を上げて、キャップ２の前部を降ろすと、上記実施例１と同じ原理で、折畳状態であった軸体１とキャップ２が回転されながら直線状に展開されるが、その際に、実施例１においては筆記態勢に必要な筆記具の長さを、軸体１とキャップ２に二分されたため、軸体１とキャップ２を展開させるだけで、筆記具が所要の長さに伸長されるが、当実施例においては、軸体１が回転される際に、軸体１aに、自体の重量と遠心力が加えられ、軸体１aが軸体１ｂと離れることで、軸体１aと軸体１ｂとキャップ２の三者が直線状に伸長され、筆記態勢の長さが形成される。（図２６参照）
【００８３】
そして、筆記態勢を保持態勢に切替える際は、親指でキャップ２を押し上げ、軸体１とキャップ２を折畳させる基本手段は実施例１と同様であるが、当実施例においては、軸体１がキャップ２とほぼ垂直になるところまで回転したときに、軸体１とキャップ２の間に摩擦が生じ、軸体１の回転が失速されるので、この際に軸体１aは自重により滑下して、筆記具１ｂが中に挿入され、軸体１が短縮した状態で、キャップ２に収納される。このため保持態勢において、筆記具を人差指の第二関節１５と根関節１６の間に完全に収めた長さで持着することが出来る。（図２８参照）
【００８４】
筆記具を指から外す際は、保持態勢における帯状体４３をフック４４から外すと、帯状体４３はスプリングの弾力により、腔室４１の中に巻入され、コンパクトに納まった携帯態勢となる。（図２５参照）
【実施例８】
【００８５】
当実施例は、鉛筆などの太さの一貫した既存の筆記具を指に持着させ、筆記態勢と保持態勢を相互に切替えながら使用する筆記具指保持具である。図２９、図３０、図３１は実施例８に関する図面である。
【００８６】
連結部材３は、指装着用筆記具の標準タイプのキャップ２と同じ長さの板状体にし、伸縮性を持つ素材からなる帯状の指装着手段４を、連結部材３の前部に巻着可能にする。そして指装着用筆記具のキャップ２の代わりに、筒状のペン挿し３２を設け、その尾部をリング部材３６を介して連結部材３に軸接させ、ペン挿し３２がリング部材３６を通して、自在に前後スライド可能に設ける。
【００８７】
そして上記実施例６同様の牽引アーム３０を、中間部は連結部材３の親指側壁の前部に、所定の筆記態勢の角度まで回転可能に軸接し、後部はペン挿し３２の筒状体の外周に環設した補助環３７に軸接し、前端はネジ締め筒３５の下まで延伸させてから、親指が届きやすいところに横突させる。ペン挿し３２は、円筒状の先端周壁にネジ山と、一定間隔で縦の切り口を設け、円筒の径口を伸縮可能にし、そこに螺子締め筒３５を締めつける。（図２９、図３０参照）
【００８８】
当実施例は以上により形成し、これを使用する際は、まず、既存の鉛筆等の筆記具を、ペン挿し３２に挿入して、筆記態勢における最適の長さに調整してから、螺子締め筒３５を回してペンを固定する。そして、帯状の指装具４を開いて、人差指に巻着させると、筆先１３が人差指の第二関節１５より若干突出した状態で、人差指と平行状態の保持態勢となる。（図３０参照）
【００８９】
保持態勢から筆記態勢に切替える際は、親指を牽引アーム３０の前端に当てておろすと、牽引アーム３０の後端が、補助環３７を介してペン挿し３２を持ち上げ、筆記具は牽引アーム３０の回転軌道に沿って、前進しながらおろされ、筆記態勢の角度に至ると、牽引アーム３０の回転が止まる。その際、リング部材３６は連結部材３に軸接されてあるため、現地回転して角度だけが変わり、ペン挿し３２は牽引アーム３０の後端に牽引され、リング部材３６の前に伸出されて、筆記具の長さと角度が、共に筆記態勢の標準となる。傾斜度、安定性及び逆動性などは上記実施例６同様である。（図３１参照）
【００９０】
筆記態勢から保持態勢に切替える際は、ペン挿し３２の下にあった牽引アーム３０の前端を下におろしながら前に押すと、筆記態勢に切替わる際と逆の動きで、保持態勢に切り替わる。保持態勢において筆記具本体５の長さは、挿入される既存筆記具の長さによって変わるが、筆先１３が第二関節１５より大きく突出することのないように、固定部位を調整することが出来る。また、当実施例は牽引アーム３０を設ける代わりに、筆記具の伸縮進退及び態勢切替えの手段を、筆記具自体の重量による滑動力を利用して行うことも出来る。
【００９１】
指から筆記具を外すときは、帯状の指装着手段４を外し、螺子締め筒３５を回して、ペン挿し３２から鉛筆などの挿入したペンを取出してから、帯状の指装着手段４を連結部材３に巻着するか、もしくは連結部材３とペン挿し３２を一緒に巻着するとコンパックトな携帯態勢となる。当実施例は、ペン挿し３２の構造が、鉛筆など長いペンを指に持着して使うために開発されたもので、正しいペンの持ち方を身に着けやすく、また指が楽で疲れにくく、フリーハンドより文字が上手になりやすい効果も期待できるので、教具や矯正具として使用することも出来る。
【実施例９】
【００９２】
当実施例は上記実施例８と同様、既存の筆記具を指に持着可能にした筆記具指保持具であるが、実施例８は鉛筆などの太さの一貫した棒状筆記具専用のものであるのに対し、当実施例は太さや形状が異なる様々な筆記具を持着可能にしたものである。このため、指装着手段４は実施例８と同様にし、実施例８のペン挿し３２の代わりに挟持部材４０を設けた。態勢切替操作や筆記具を動かす原理など他は実施例８同様である。（図３２、図３３、図３４参照）
【符号の説明】
【００９３】
１      軸体
２      キャップ
３      連結部材  
４      指装着手段  
５      筆記具本体  
６      筆芯        
７      前軸        
８      後軸
９      突起
１０    止め歯  
１１    横溝  
１２    装着具軸
１３    筆先
１４    孔
１５    第二関節
１６    根関節
１７    尾栓
１８    軸突部
１９    連結補助部材
２０    口金
２１    螺旋状尾栓  
２２    摘み
２３    挟持部材    
２４    尾壁    
２５    護芯管
２６    突部
２７    滑動環
２８    ボールペン      
２９    タッチペン
３０    牽引アーム
３１    通孔  
３２    ペン挿し
３３    大先
３４    開口
３５    螺子締め筒
３６    リング部材          
３７    補助環
３８    鉛筆
３９    螺旋体
４０    挟持部材  
４１    腔室
４２    第一関節
４３    帯状体
４４    フック  
【要約】
【課題】筆記具の指装着手段を不使用の際は、運送、保管、携帯に便利な形状に変形することが可能で、保持態勢における筆記具を、少なくとも人差指の第二関節１５の近くまで退縮させて持着することを可能にし、筆記態勢における定位機能と姿勢安定機能に、筆記具を好みの角度に自在に調整できる指装着用筆記具及び筆記具指保持具を提供する。
【解決手段】指装着手段を連結部材と一体して設け、内蔵、折畳、挿脱、巻着などの手段で、不使用の際は、携帯態勢に変形可能にし、筆記態勢における筆記具の必要最短寸を、軸体１とキャップ２に少なくとも二分にさせ、軸体１とキャップ２を折畳、収納などの手段で重合させることで、保持態勢における筆記具を短縮させ、筆記態勢における筆記具を、所定の範囲内で逆動可能にすることで、筆記具の角度を調整可能にする。
【選択図】図１【図１】
0005850352.tif 000002
【図２】
0005850352.tif 000003
【図３】
0005850352.tif 000004
【図４】
0005850352.tif 000005
【図５】
0005850352.tif 000006
【図６】
0005850352.tif 000007
【図７】
0005850352.tif 000008
【図８】
0005850352.tif 000009
【図９】
0005850352.tif 000010
【図１０】
0005850352.tif 000011
【図１１】
0005850352.tif 000012
【図１２】
0005850352.tif 000013
【図１３】
0005850352.tif 000014
【図１４】
0005850352.tif 000015
【図１５】
0005850352.tif 000016
【図１６】
0005850352.tif 000017
【図１７】
0005850352.tif 000018
【図１８】
0005850352.tif 000019
【図１９】
0005850352.tif 000020
【図２０】
0005850352.tif 000021
【図２１】
0005850352.tif 000022
【図２２】
0005850352.tif 000023
【図２３】
0005850352.tif 000024
【図２４】
0005850352.tif 000025
【図２５】
0005850352.tif 000026
【図２６】
0005850352.tif 000027
【図２７】
0005850352.tif 000028
【図２８】
0005850352.tif 000029
【図２９】
0005850352.tif 000030
【図３０】
0005850352.tif 000031
【図３１】
0005850352.tif 000032
【図３２】
0005850352.tif 000033
【図３３】
0005850352.tif 000034
【図３４】
0005850352.tif 000035